(57)【要約】【課題】キーシリンダーを用いることなく高い防犯性能で前扉及びガラス枠を施錠でき、コストの上昇を抑えた遊技機を提供する。【解決手段】本体ケースと、該本体ケースに開閉可能に枢支された前扉と、該本体ケース及び該前扉のうちいずれか一方に設けられた被係止部材と、他方に設けられ該前扉が閉じる以前にハーフロック位置で該被係止部材に係合し、かつ該前扉が閉じたときにフルロック位置で該被係止部材に係合する係止部材４１と、該係止部材４１を該ハーフロック位置及び該フルロック位置でロックするロック部材５と、該ハーフロック位置の該係止部材４１を該フルロック位置に駆動する係止駆動部（共通駆動部６）と、該ロック部材５のロックを解除する電動操作のロック駆動部（共通駆動部６）と、を備える。【選択図】図３
2007319536.tif 000002
【特許請求の範囲】
【請求項１】
本体ケースと、
該本体ケースに開閉可能に枢支された前扉と、
該本体ケース及び該前扉のうちいずれか一方に設けられた被係止部材と、
他方に設けられ該前扉が閉じる以前にハーフロック位置で該被係止部材に係合し、かつ該前扉が閉じたときにフルロック位置で該被係止部材に係合する係止部材と、
該係止部材を該ハーフロック位置及び該フルロック位置でロックするロック部材と、
該ハーフロック位置の該係止部材を該フルロック位置に駆動する係止駆動部と、
該ロック部材のロックを解除する電動操作のロック駆動部と、
を備えることを特徴とする遊技機。
【請求項２】
前記ロック駆動部の一部は前記係止駆動部に兼用される請求項１に記載の遊技機。
【請求項３】
所定の電子認証条件が満たされたときにのみ、前記ロック駆動部の操作を許容する電子認証部を備える請求項１または２に記載の遊技機。
【請求項４】
前記本体ケースまたは前記前扉に開閉可能に枢支されたガラス枠と、該ガラス枠を施錠する枠施錠部と、該枠施錠部のロックを解除する電動操作の枠ロック駆動部と、を備え、前記電子認証部は該枠ロック駆動部の操作を許容する請求項３に記載の遊技機。
【発明の詳細な説明】
【技術分野】
【０００１】
本発明は、パチンコ台などの遊技機に関し、より詳細には遊技機の施錠装置に関する。
【背景技術】
【０００２】
遊技店に設置されるパチンコ台などの遊技機は、本体ケースと、本体ケースに開閉可能に枢支された前扉とを主要部材として構成されるのが一般的である。遊技面を備えた前扉には電子制御装置や表示装置などが多数搭載されており、遊技中の不具合への対応や閉店後の調整のために、頻繁に開閉される場合が多い。この多頻度開閉を行うために、前扉の一辺部を本体ケースに枢支させて、回転動作するようにした構造が普及している。しかしながら、前扉はかなりの重量を有するため、開けたときに自重で下方に下がる“扉下がり”の状態が発生しやすく、閉じる際に大きな労力が必要となりがちであった。また、前扉は、遊技者が勝手に開閉操作できないように常時施錠されているが、係員が不注意な閉じ方をすると不完全な施錠となるケースも想定され、好ましくなかった。
【０００３】
この対策として、本願出願人は特許文献１に遊技機用施錠装置を開示している。特許文献１の施錠装置は駆動機構を備え、前扉が作業者によって中間位置まで閉じられたときに、以降の施錠操作をアシストするように構成されている。これにより、作業者にかかる負荷は低減され、また、前扉が完全な施錠位置まで確実に回動されるようになっている。
【特許文献１】特開２００５−８７６９２号公報
【発明の開示】
【発明が解決しようとする課題】
【０００４】
ところで、特許文献１の施錠装置では、解錠操作はキーをキーシリンダーに差し込んで行うようになっている。特許文献１に限らず、前扉の解錠では、前扉あるいは本体ケースの前面からキーをキーシリンダーに差し込み、回動操作する方式が多用されている。この方式では、キーシリンダーが露出していて不特定の者が容易に触れ得るため、合鍵やピッキングなどによる不正な解錠操作のおそれがあり、防犯性が高いとは言えなかった。
【０００５】
一方、特許文献１の施錠装置は、施錠用の駆動機構として例えばモーターを備えている。このモーターは、外部から不正に操作できないように遊技機内部に設けることができるため、解錠用に応用できれば、コストの上昇を抑えつつ防犯性を高めることが可能と考えられる。
【０００６】
また、パチンコ台では遊技面を覆い開閉可能なガラス枠が設けられるのが一般的である。このガラス枠の施錠についても、防犯性の向上が望まれている。
【０００７】
本発明は上記背景に鑑みてなされたものであり、キーシリンダーを用いることなく高い防犯性能で前扉及びガラス枠を施錠でき、コストの上昇を抑えた遊技機を提供する。
【課題を解決するための手段】
【０００８】
本発明の遊技機は、本体ケースと、該本体ケースに開閉可能に枢支された前扉と、該本体ケース及び該前扉のうちいずれか一方に設けられた被係止部材と、他方に設けられ該前扉が閉じる以前にハーフロック位置で該被係止部材に係合し、かつ該前扉が閉じたときにフルロック位置で該被係止部材に係合する係止部材と、該係止部材を該ハーフロック位置及び該フルロック位置でロックするロック部材と、該ハーフロック位置の該係止部材を該フルロック位置に駆動する係止駆動部と、該ロック部材のロックを解除する電動操作のロック駆動部と、を備えることを特徴とする。
【０００９】
本発明は、特許文献１に開示した施錠装置の改良を主眼としており、施錠時のアシスト機能を維持しつつ防犯性能を高めるため、係員によるキー操作に代えて電動操作によりロックを解除するようにしている。本発明は、パチンコ台の他スロットマシンなどの施錠装置に適用することができる。本体ケースや前扉自体、あるいは枢支部分には、従来の各種構造を適用することができる。
【００１０】
被係止部材は、本体ケース及び前扉のうちいずれか一方に固定して設けられた部材であり、例えば、水平に固定される棒材で形成することができる。係止部材は本体ケース及び前扉のうち他方に設けられた部材であり、例えば外周部に係止溝をもち回動する部材で形成することができる。そして、前扉が本体ケースに接近するにつれて被係止部材と係止部材とが接近し、前扉が閉じる以前に被係止部材が係止溝に嵌入し、以降は前扉が完全に閉じるまで被係止部材が係止部材を押して回動させるように配設することができる。ここで、被係止部材が係止溝に嵌合し、その嵌合を解除されないときの係止部材の回動位置がハーフロック位置であり、前扉が完全に閉じたときの係止部材の回動位置がフルロック位置である。被係止部材及び係止部材はそれぞれ１個でもよく、あるいは複数組としてもよい。
【００１１】
ロック部材は、係止部材をハーフロック位置及びフルロック位置でロックする部材である。上述の回動する係止部材の例では、係止部材の外周部にハーフロック溝とフルロック溝とを形成することができる。そして、ハーフロック溝及びフルロック溝に嵌合する突起部をロック部材に設け、係止部材に向けて付勢されるように配置することができる。さらに、係止部材が回動してハーフロック位置あるいはフルロック位置に来たとき、突起部がハーフロック溝あるいはフルロック溝に嵌合するように配置することができる。そして、突起部がどちらかのロック溝に嵌合したとき、係止部材の解錠方向の回動が阻止されるようにすることができる。このように、ロック部材の突起部を係止部材のロック溝に嵌合することにより、ロックすなわち施錠を行うことができる。
【００１２】
係止駆動部は、ハーフロック位置にある係止部材をフルロック位置に駆動する部位である。係止駆動部は、駆動力を生起するモーターなどの駆動源と、駆動力を適宜変換し伝達する係止駆動機構と、で形成することができる。係止部材がハーフロック位置にあることは、別途センサを設けて検出してもよく、所定位置で自動的に駆動が開始されるメカニカルな機構を付設するようにしてもよい。係止駆動部が係止部材をフルロック位置に駆動するということは、前扉を完全に閉じるように駆動することを意味し、いわゆる“クローザー”の役割を有している。つまり、係員が前扉を閉じる途中で係止駆動部が動作して、係員の労力を低減するようにアシストするとともに、完全な施錠位置まで確実に駆動するようになっている。
【００１３】
ロック駆動部は、ロック部材のロックを電動操作で解除する部位である。上述の突起部をもち係止部材に向けて付勢されるロック部材の例では、ロック駆動部はロック部材を係合部材から引き離す方向に駆動することで、ロックを解除することができる。なぜなら、突起部が、嵌合していたロック溝から抜け出て、係止部材の解錠方向の回動が許容されるようになるからである。ロック駆動部は、駆動力を生起する電動駆動源と、駆動力を適宜変換し伝達するロック駆動機構と、で形成することができる。
【００１４】
前記ロック駆動部の一部は前記係止駆動部に兼用されることが好ましい。つまり、ロック駆動部の電動駆動源や駆動機構の一部を、係止駆動部に兼用することが好ましい。例えば、ロック駆動部の電動駆動源の出力軸に２個のカムを設け、それぞれが異なる回転位相で係止駆動機構とロック駆動機構とを駆動するように構成することができる。必要に応じ、減速機構なども用いて、所望する駆動トルクや駆動速度を得ることもできる。以上のようにロック駆動部の一部を兼用することにより、遊技機構成の簡素化、コスト上昇の抑制、部品配置の省スペース化を図ることができる。
【００１５】
次に、防犯性を一層高めるための電子認証部について説明する。所定の電子認証条件が満たされたときにのみ、前記ロック駆動部の操作を許容する電子認証部を備えることが好ましい。
【００１６】
電動操作のロック駆動部に電源を接続すれば解錠操作を行うことができるが、通常のスイッチを設けるだけでは不特定の遊技者が触れ得るため、防犯性の面で問題がある。したがって、合鍵やピッキングによる不正操作の困難な電子認証部を組み込むことが好ましい。電子認証部は、例えばロック駆動部の電源線の途中にスイッチと直列に挿入することができる。そして、所定の電子認証条件が満たされたときにのみ導通するように構成することができる。
【００１７】
電子認証の方式としては、磁気情報や、暗証コード、生体情報などの公知の方式を適用することができる。例えば、特定の磁気情報が記録された電子キーやＩＣカードを、遊技機前面に設けたアクセプタに差し込むことを認証条件とすることができる。あるいは、各遊技機に受信機を設け、遊技機ごとの固有の暗証コードにより、無線で解錠指令を送信するようにしてもよい。さらには、指紋や声紋などの生体情報読み取り装置を設けて、登録された係員のみを峻別するようにしてもよい。
【００１８】
次に、ガラス枠の施錠装置について説明する。前記本体ケースまたは前記前扉に開閉可能に枢支されたガラス枠と、該ガラス枠を施錠する枠施錠部と、該枠施錠部のロックを解除する電動操作の枠ロック駆動部と、を備え、前記電子認証部は該枠ロック駆動部の操作を許容するようにしてもよい。
【００１９】
アシスト機能を必要としないガラス枠の枠施錠部でも、電動操作の枠ロック駆動部と、電子認証部と、を備えた構成とすることができる。ここで、電源及び電子認証部を、前扉とガラス枠とで共用し、電子認証条件が満たされたときにどちらでも解錠操作できるようにすることができる。この態様によれば、ガラス枠の施錠装置の防犯性を高めることができ、かつ遊技機を簡素に構成してコストの上昇を抑えることができる。
【発明の効果】
【００２０】
本発明の遊技機では、前扉を施錠するロック部材のロックを解除するために、電動操作のロック駆動部を設けたので、従来の合鍵やピッキングによる不正操作を防止することができる。さらに、電子認証部を備える態様では、係員以外の操作は困難であり、防犯性能は一層向上する。また、電子認証部はガラス枠の枠施錠部にも共用することができ、防犯性能はさらに向上するとともに、コストの上昇を抑えることができる。
【発明を実施するための最良の形態】
【００２１】
本発明を実施するための最良の形態を、図１〜図９を参考にして説明する。図１は、遊技機９の一般的な構造を説明する図である。遊技機９は、立設された略矩形枠状の本体ケース１と、遊技面や遊技ハンドルなどを備えた前扉２と、常時前扉２を覆うガラス枠３と、を主にして構成されている。前扉２及びガラス枠３は、本体ケース１の左端前面に設けられた枢支部９１により、開閉可能に枢支されている。すなわち、前扉２は、図中左側の一辺部を軸心として回動することにより、本体ケース１に対して開閉するようになっている。また、ガラス枠３は、図中奥側の一辺部を軸心として回動することにより、前扉２に対して開閉するようになっている。ここで、前扉２とガラス枠３とは独立して開閉するため、別々に施錠することが必要である。そして、施錠のための各種部材は、遊技機９の右側に配設されている。
【００２２】
図２は、本発明の実施例の遊技機を説明する図であり、図１に示す遊技機９の右側Ｘ方向からみた要部である。図２は、前扉２とガラス枠３の両方が施錠された状態を示しており、見易くするために不必要な部材は省略してある。本発明の遊技機では、前扉２の施錠装置として。２組の被係止部材及び係止部材と、ロック部材５と、係止駆動部及びロック駆動部を兼ねる共通駆動部６と、を備えている。また、ガラス枠３の施錠装置として、２組の被係止部材及び係止部材と、枠ロック駆動部７と、を備えている。さらに、共通駆動部６及び枠ロック駆動部７の操作を許容する部位として、図２には示されていない電子認証部を備えている。
【００２３】
まず、前扉２の施錠装置から説明する。前扉２用の被係止部材は、本体ケースの右側前面に棒材が水平に固定して形成されており、下側が下被係止部材１１、上側が上被係止部材１２である。係止部材は、前扉２側で被係止部材と対向する箇所にそれぞれ設けられ、下側が下係止部材４１、上側が上係止部材４２である。図２に示されるように、上係止部材４２は、中央４２１が枢支され、一端が上方に折り曲げられて返し部４２２が形成されている。この返し部４２２は、ばね４２３により上方に付勢され、前扉２が閉じた状態で上被係止部材１２を係止するようになっている。上係止部材４２の他端には連結孔４２４が設けられ、後述の上連結部材６７が結合されている。
【００２４】
下係止部材４１は、下被係止部材１１を係止する一方で、ロック部材５によってロックされる板状の部材である。図３は、下係止部材４１、ロック部材５、及び共通駆動部６を説明する部分拡大斜視図である。図３に示されるように、下被係止部材４１は、中央４１１が枢支されて回動し、外周部の上側に係止溝４１２をもつように形成されている。係止溝４１２は、下被係止部材１１を保持できるだけの幅及び深さをもち、図中の反時計回りに回動することにより係止するようになっている。また、下係止部材４１の外周部の左上部には、ロック部材５が嵌合する２つのロック溝が形成されており、図中左側がハーフロック溝４１３、右側がフルロック溝４１４である。さらに、下係止部材４１の外周部の下側には後述の係止用カム６３に駆動される従動突部４１５が形成されている。
【００２５】
ロック部材５は、下係止部材４１の上方に配設される板状の部材であり、右端５１１が枢支されて揺動するように形成されている。ロック部材５の下側には、下係止部材４１に向かって突出する突起部５１２が形成されている。ロック部材５と下係止部材４１とは、互いを押圧するように、ばね５２によって付勢されている。このばね５２により、突起部５１２は下係止部材４１に向けて付勢され、ハーフロック溝４１３やフルロック溝４１４に嵌合するようになっている。ここで、突起部５１２がハーフロック溝４１３に嵌合するときの下係止部材４１の回動位置がハーフロック位置であり、突起部５１２がフルロック溝４１４に嵌合するときの係止部材４１の回動位置がフルロック位置である。
【００２６】
なお、突起部５１２と、ハーフロック溝４１３及びフルロック溝４１４とは、非対称に形成されて、ラチェット機能を有している。すなわち、ばね５２による付勢時には、下係止部材４１は反時計回りには回動できても、時計回りの回動は阻止されている。したがって、突起部５１２は、非嵌合位置からハーフロック溝４１３へ、ハーフロック溝４１３からフルロック溝４１４へと、施錠方向へのみ動作して嵌合し、ロック機能を果たすことができる。
【００２７】
次に、下係止部材４１及びロック部材５を共通に駆動する共通駆動部６を、図３及び図４を参考にして説明する。図４に示されるように、共通駆動部６は、駆動源として共通駆動モーター６１を備えている。共通駆動モーター６１の出力軸にはウォームギヤ６２１が設けられ、ウォームギヤ６２１と噛合するヘリカルギヤ６２２には一緒に回転する小ギヤ６２３が設けられている。さらに小ギヤ６２３と噛合する大ギヤ６２４には、一緒に回転する係止用カム６３が紙面手前側に、解錠用カム６４が紙面奥側に設けられている。これらのギヤ６２１、６２２、６２３、６２４を組み合わせた駆動機構によって、出力回転数は適宜減速されるようになっている。また、共通駆動モーター６１の電源線は反転接続可能とされ、回転方向を切り替えられるように構成されている。
【００２８】
図３に戻り、係止用カム６３は、時計回りに回転することにより、従動突部４１５に当接してこれを駆動し、下係止部材４１を反時計回りに回動するようになっている。また、係止用カム６３の反時計回りの回動を途中で止めるストッパー６３１が設けられている。さらに、共通駆動部６は、下係止部材４１のハーフロック位置を検出する図略のセンサを備え、ハーフロック位置を検出したときに、共通駆動モーター６１を自動的に動作させるようにしている。
【００２９】
図３で、解錠用レバー６５は、中央６５１が枢支されて揺動可能であり、図中右側で図示されていない解錠用カム６４と係合されている。解錠用レバー６５の図中左側には下連結部材６６及び上連結部材６７が結合され、常時左側が下がるようにばね６５２で付勢されている。下連結部材６６は、上方でロック部材５の左端５１３に結合している。上連結部材６７は、上方で上係止部材４２の連結孔４２４に結合されている。そして、解錠用カム６４が反時計回りに回動すると、解錠用レバー６５は右側が下降して左側が上昇するようになっている。この動作により、ロック部材５及び上係止部材４２が駆動される。
【００３０】
次に、上述のように構成された前扉２の施錠装置の操作、作用について、図５及び図６を参考にして説明する。図５は、前扉２の施錠操作を説明する図であり、（Ａ）は解錠状態、（Ｂ）はハーフロック状態、（Ｃ）はフルロック状態をそれぞれ示している。図５（Ａ）において、前扉２は解錠されて開放されており、下被係止部材１１と、下係止部材４１とは離れている。このとき、下係止部材４１は時計回りの方向いっぱいまで回動され、係止溝４１２は右上方に開いて、下被係止部材１１の嵌入が可能な状態となっている。また、ロック部材5の突起部５１２は、下係止部材４１のハーフロック溝４１３よりも左側に位置している。
【００３１】
図５（Ａ）の解錠状態から、係員が前扉２を回動して本体ケースに近付けてゆくと、図中矢印Ｙで示されるように、下係止部材４１が下被係止部材１１に接近する。そして、図５（Ｂ）に示されるように、下被係止部材１１が係止溝４１２に嵌入し、下係止部材４１が反時計回りに回動を始める。すると、ハーフロック溝４１３も回動して、突起部５１２が嵌合する。
【００３２】
係員が勢いよく操作を行った場合には、惰性により前扉２は一気に完全に閉じて、図５（Ｃ）に示されるように、下係止部材４１は反時計回りに回りきり、突起部５１２はハーフロック溝４１３から滑動してフルロック溝４１４に嵌合する。係員の操作が緩やかな場合や、“扉下がり”により摩擦抵抗が生じた場合などでは、（Ｂ）のハーフロック状態で一旦停止あるいは閉じる速度が低下する。このとき、図略のセンサは下係止部材４１のハーフロック位置を検出し、共通駆動モーター６１を動作させる。すると、図４に示された駆動機構により、係止用カム６３が時計回りに駆動されて従動突部４１５を押し、下係止部材４１は反時計回りに回りきり、（Ｃ）のフルロック状態まで操作がアシストされる。
【００３３】
閉操作の途中及び閉状態では、突起部５１とロック溝４１３、４１４との間にラチェット機能が働いている。したがって、下係止部材４１の時計回りの回動は阻止され、最終的に、突起部５１２がフルロック溝４１４に嵌合した（Ｃ）のフルロック状態で、前扉２が施錠される。
【００３４】
なお、図２に示された上係止部材４２においては、上被係止部材１２の係止は、下係止部材４１側に同期して行われる。すなわち、係員が前扉２を本体ケースに近付けてゆくと、上係止部材４２は離れていた上被係止部材１２に接近する。続いて、上被係止部材１２は、ばね４２３に抗して上係止部材４２の返し部４２２を下方に押し下げ、返し部４２２を乗り越える。そして一旦乗り越えた上被係止部材１２は、ばね４２３と返し部４２２との作用により、図２に示されるようにロックされる。  
【００３５】
続いて、図６を参考にして前扉２の解錠操作について説明する。図６は、前扉２の解錠操作を説明する図であり、（Ａ）はフルロック状態、（Ｂ）は解錠状態、をそれぞれ示している。図６（Ａ）のフルロック状態において、ばね５２の付勢により、下被係止部材１１を係止している下係止部材４１に、ロック部材５が押圧されている。この押圧により、ロック部材５の突起部５１２は、下係止部材４１のフルロック溝４１４に嵌合している。また、解錠用レバー６５は、ばね６５２により付勢されて、左側が下がった状態となっている。
【００３６】
ここで、係員により解錠指令が出されると、共通駆動モーター６１の電源線が反転接続されて動作し、係止用カム６３及び解錠用カム６４を反時計回りに駆動する。係止用カム６３は、（Ｂ）に示されるようにストッパー６３１に当接するまで回動して、従動突部４１５から離隔する。また、解錠用カム６４が回動すると解錠用レバー６５の右側６５３に係合し、ばね６５２に抗して右側６５３を押し下げるので、左側は上昇する。したがって、解錠用レバー６５の左側に結合された下連結部材６６及び上連結部材６７は上昇する。さらに、下連結部材６６により、ロック部材５の左端５１３が上方に駆動されると、突起部５１２も上方に駆動されてフルロック溝４１４から抜け出て、図６（Ｂ）に示される解錠状態となる。この状態で、前扉２を開ければ、下係止部材４１は時計回りに回動して係止溝４１２は右上方に開き、下被係止部材１１は図中矢印Ｚ方向に抜け出ることができる。
【００３７】
また、上連結部材６７により、上係止部材４２の他端が上方に駆動されると、一端側の返し部４２２は、ばね４２３に抗して下方に駆動される。これにより、上被係止部材１２は係止を解かれる。結局、下被係止部材１１と上係止部材とは、一緒に係止を解かれて解錠され、前扉２を開けることができる。
【００３８】
以上説明したように、実施例の前扉２の施錠装置は、キーシリンダーをもたないので、合鍵やピッキングによる不正な解錠は行えず、防犯性能は高い。
【００３９】
次に、ガラス枠３の施錠装置を説明する。図２に示されるように、ガラス枠３用の被係止部材は、ガラス枠３の右側裏面に棒材が水平に固定して形成されており、下側が下被係止部材３５、上側が上被係止部材３６である。係止部材は、前扉２側で被係止部材と対向する箇所にそれぞれ設けられ、下側が下係止部材４５、上側が上係止部材４６である。図示されるように、下係止部材４５及び上係止部材４６は、中央４５１、４６１が枢支されている。下係止部材４５及び上係止部材４６の一端には、下方に折り曲げられた返し部４５２、４６２が形成され、ばね（図3に下側のみ４５９として図示）によって下方に付勢されている。下係止部材４５及び上係止部材４６の他端には、上下に長い長孔４５３、４６３が穿孔されている。さらに、２つの長孔４５３、４６３の間は、連結部材４７で結合されている。連結部材４７の中央付近には、図７に示される枠ロック駆動部7が設けられている。
【００４０】
図７は、ガラス枠３の施錠装置のロックを解除する枠ロック駆動部7の斜視図である。枠ロック駆動部7は、駆動源として枠用駆動モーター７１を備えている。枠用駆動モーター７１の出力軸にはウォームギヤ７２１が設けられ、ウォームギヤ７２１と噛合するヘリカルギヤ7２２の側面には駆動突部７３が設けられている。また、枠操作レバー７４は中央７４１が枢支されて揺動可能であり、図中左端７４２は連結部材４７と結合している。枠操作レバー７４の図中右側には従動溝７４３が形成され、駆動突部７３が係合するようになっている。さらに、従動溝７４３の入り口右側には、駆動突部７３が嵌合する窪んだ嵌合座７４４が形成されている。
【００４１】
次に、上述のように構成されたガラス枠３の施錠装置の操作、作用について、図２及び図８を参考にして説明する。なお、上下２箇所の枠施錠部分は略同一の動作、作用であるため、上側を代表にして説明する。係員がガラス枠３を回動して前扉２に近付けてゆくと、上被係止部材３６は、離れていた上係止部材４６に接近する。続いて、上被係止部材３６は、上係止部材４６の返し部４６２を上方に押し上げ、返し部４６２を通過する。このとき、上係止部材４６の他端は長穴４６３で連結部材４７と結合していて遊びがあるため、連結部材４７には妨害されない。そして一旦通過した上被係止部材３６は、図２に示されるように、返し部４６２によってロックされる。
【００４２】
図８は、ガラス枠３の解錠操作を説明する図であり、（Ａ）は施錠状態、（Ｂ）は解錠状態、をそれぞれ示している。図８（Ａ）の施錠状態において、枠操作レバー７４は図中右側が下がり、駆動突部７３が嵌合座７４４に嵌合している。この状態で、係員により解錠指令が出されると、枠用駆動モーター７１が動作し、ヘリカルギヤ7２２を時計回りに駆動する。すると、駆動突部７３は、嵌合座７４４を抜け出て従動溝７４３に係合しつつ、枠操作レバー７４を反時計回りに駆動する。これにより、枠操作レバー７４の左端７４２は下降し、連結部材４７も下降して、上係止部材４６他端の長孔４６３を引き下げる。すると上係止部材４６の一端の返し部４６２が上昇して、上被係止部材３６が係止を解かれる。同様に、下被係止部材３５も係止を解かれて、ガラス枠３は解錠される。
【００４３】
ガラス枠３の施錠装置においては、ガラス枠３と前扉２との隙間などから下係止部材４５及び上係止部材４６の一方をピッキングしても、長孔４５３、４６３の遊びにより連結部材４７は動かない。したがって、上下両方の係止は同時には解かれず、解錠されない。また、連結部材４７のピッキングは、図８（Ａ）に示されるように枠操作レバー７４によって阻止されている。詳述すると、施錠状態において連結部材４７を下降させるためには、枠操作レバー７４を反時計回りに揺動して、左端７４２を下降させる必要がある。ところが、左端７４２を下降させようとしても、枠操作レバー７４の右側の嵌合座７４４は、駆動突部７３をヘリカルギヤ７２２の軸心方向にのみ押圧することになる。したがって、駆動突部７３は、嵌合座７４４の左右どちらへも抜けず、枠操作レバー７４は揺動せず、解錠されない。
【００４４】
以上説明したように、実施例のガラス枠３の施錠装置もまた、高い防犯性能を有している。
【００４５】
次に、防犯性を一層高めるための電子認証部について、図９を参考にして説明する。図９は、実施例の遊技機の電気接続に電子認証部８を組み込んだ接続概念図である。図９に示されるように、実施例の電気接続方法では、電源９３から機内電装品９２への接続線が分岐されて、電子制御ユニット８１の入力側８１１に接続されている。電子制御ユニット８１には、前扉用スイッチ８５と枠用スイッチ８６とが設けられている。そして、電子制御ユニット８１の出力側８１２は、電子認証部８の入力側８０１に接続されている。電子認証部8の出力側８０２には、共通駆動モーター６１と枠用駆動モーター７１とが、並列に接続されている。なお、電子認証部８、前扉用スイッチ８５、及び枠用スイッチ８６は、遊技機前面に設けられている。
【００４６】
電子認証部8は、所定の電子認証条件が成立したときにのみ、入力側８０１と出力側８０２とが導通するように構成されている。電子認証部８には、公知の各種方式を適用することができ、制約はない。また、電子認証部８では、前扉用スイッチ８５が操作された場合に共通駆動モーター６１のみが導通し、枠用スイッチ８６が操作された場合に枠用駆動モーター７１のみが導通するようになっている。電子制御ユニット８１は、解錠の一定時間後に、この導通を遮断するように制御している。
【００４７】
上述のように電子認証部８を組み込んだ電気接続によれば、係員が電子認証部８で所定の電子認証条件を満足させ、かつ、前扉用スイッチ８５または枠用スイッチ８６を選択的に操作することにより、前扉２またはガラス枠３を解錠することができる。さらに、前扉２を閉じる際には、共通駆動モーター６１により操作がアシストされる。  
【００４８】
一方、遊技者は、前扉用スイッチ８５や枠用スイッチ８６を操作することはできても、電子認証部８の電子認証条件を満足させることはできない。したがって、防犯性能は一層向上する。
【図面の簡単な説明】
【００４９】
【図１】遊技機の一般的な構造を説明する図である。
【図２】本発明の実施例の遊技機において、前扉の施錠装置の要部を説明する図である。
【図３】図２の実施例において、下係止部材、ロック部材、及び共通駆動部を説明する部分拡大斜視図である。
【図４】図２の実施例において、共通駆動部を説明する図である。
【図５】図２の実施例において、前扉の施錠操作を説明する図であり、（Ａ）は解錠状態、（Ｂ）はハーフロック状態、（Ｃ）はフルロック状態をそれぞれ示している。
【図６】図２の実施例において、前扉の解錠操作を説明する図であり、（Ａ）はフルロック状態、（Ｂ）は解錠状態、をそれぞれ示している。
【図７】本発明の実施例の遊技機において、ガラス枠の施錠装置のロックを解除する枠ロック駆動部の斜視図である。
【図８】ガラス枠の解錠操作を説明する図であり、（Ａ）は施錠状態、（Ｂ）は解錠状態、をそれぞれ示している。
【図９】実施例の遊技機の電気接続に電子認証部を組み込んだ接続概念図である。
【符号の説明】
【００５０】
１：本体ケース      
１１：下被係止部材        １２：上被係止部材
２：前扉
３：ガラス枠
３５：下被係止部材        ３６：上被係止部材
４１：下係止部材                ４２：上係止部材
４５：下係止部材                ４６：上係止部材        ４７：連結部材
５：ロック部材                  ５２：ばね
６：共通駆動部（係止駆動部及びロック駆動部を兼ねる）
６１：共通駆動モーター    ６３：係止用カム        ６４；解錠用カム
６５：解錠用レバー        ６６：下連結部材        ６７：上連結部材
７：枠ロック駆動部
７１：枠用駆動モーター    ７３：駆動突起          ７４：枠操作レバー
８：電子認証部
８１：電子制御ユニット    ８５：前扉用スイッチ    ８６：枠用スイッチ
９：遊技機        
９１：枢支部              ９２：機内電装品        ９３：電源
【図１】
2007319536.tif 000003
【図２】
2007319536.tif 000004
【図３】
2007319536.tif 000005
【図４】
2007319536.tif 000006
【図５】
2007319536.tif 000007
【図６】
2007319536.tif 000008
【図７】
2007319536.tif 000009
【図８】
2007319536.tif 000010
【図９】
2007319536.tif 000011